(57)【要約】      （修正有）【課題】ネジを締め直すなどの手間を必要とすることなく、安定的なテンプルの開閉を可能とする眼鏡の丁番構造を提供する。【解決手段】フロント２００側に設けられる嵌合凸部２１２と、テンプル３００側に設けられ、嵌合凸部２１２と嵌合する嵌合凹部と、を備える眼鏡の丁番構造であって、嵌合凸部２１２における嵌合凹部との摺動面は、球面状部分２１２ａと、テンプル３００の開閉中心軸線に垂直な一対の平面状部分２１２ｂとで構成されており、嵌合凹部における嵌合凸部２１２との摺動面は、嵌合凸部２１２における球面状部分２１２ａが摺動する球面状部分３１１ａと、嵌合凸部２１２における一対の平面状部分２１２ｂが摺動する一対の平面状部分３１１ｂとで構成されている。【選択図】図８
0003176324.tif 000002
【実用新案登録請求の範囲】
【請求項１】
フロントとテンプルのうちの一方の部材側に設けられる嵌合凸部と、
フロントとテンプルのうちの他方の部材側に設けられ、前記嵌合凸部と嵌合する嵌合凹部と、
を備える眼鏡の丁番構造であって、
前記嵌合凸部における前記嵌合凹部との摺動面は、球面状部分と、テンプルの開閉中心軸線に垂直な一対の平面状部分とで構成されており、
前記嵌合凹部における前記嵌合凸部との摺動面は、前記嵌合凸部における球面状部分が摺動する球面状部分と、前記嵌合凸部における一対の平面状部分が摺動する一対の平面状部分とで構成されていることを特徴とする眼鏡の丁番構造。
【請求項２】
前記嵌合凸部の表面は、前記一方の部材側に繋がる部分と前記一対の平面状部分とを除く部分が球面であることを特徴とする請求項１に記載の眼鏡の丁番構造。
【請求項３】
前記嵌合凸部について、前記球面状部分における球面の中心を通り、かつ前記開閉中心軸線に垂直な面で切断した断面で見た場合に、前記嵌合凹部に対して接していない部分の最大領域が１８０°の範囲よりも少なくなるように、前記嵌合凸部は前記嵌合凹部に嵌合されることを特徴とする請求項１または２に記載の眼鏡の丁番構造。
【請求項４】
前記一方の部材には、該一方の部材と前記嵌合凸部とを繋ぐ繋ぎ部が設けられると共に、
前記他方の部材には、前記一方の部材側の端部の位置から前記嵌合凹部に至る位置に、前記テンプルが開かれた際に前記繋ぎ部が進入すると共に、その底面に該繋ぎ部が当接することで前記テンプルの開き方向への位置決めを行う溝が設けられていることを特徴とする請求項１，２または３に記載の眼鏡の丁番構造。
【考案の詳細な説明】
【技術分野】
【０００１】
本考案は、眼鏡の丁番構造に関するものである。
【背景技術】
【０００２】
眼鏡には、フロントとテンプルを繋ぐ、開閉機構を有する丁番が設けられている。かかる丁番は、ネジを中心として開閉する構造が一般的である。このような構造においては、ネジが緩むとテンプルがぐらついてしまう。そのため、テンプルの開閉が不安定になってしまう。従って、ネジを締め直すなどの手間が生じてしまう。
【先行技術文献】
【特許文献】
【０００３】
【特許文献１】特許第４７７４１０２号公報
【特許文献２】特許第４６０９７９５号公報
【特許文献３】特許第４２９７８７３号公報
【考案の概要】
【考案が解決しようとする課題】
【０００４】
本考案の目的は、ネジを締め直すなどの手間を必要とすることなく、安定的なテンプルの開閉を可能とする眼鏡の丁番構造を提供することにある。
【課題を解決するための手段】
【０００５】
本考案は、上記課題を解決するために以下の手段を採用した。
【０００６】
すなわち、本考案の眼鏡の丁番構造は、
フロントとテンプルのうちの一方の部材側に設けられる嵌合凸部と、
フロントとテンプルのうちの他方の部材側に設けられ、前記嵌合凸部と嵌合する嵌合凹部と、
を備える眼鏡の丁番構造であって、
前記嵌合凸部における前記嵌合凹部との摺動面は、球面状部分と、テンプルの開閉中心軸線に垂直な一対の平面状部分とで構成されており、
前記嵌合凹部における前記嵌合凸部との摺動面は、前記嵌合凸部における球面状部分が摺動する球面状部分と、前記嵌合凸部における一対の平面状部分が摺動する一対の平面状部分とで構成されていることを特徴とする。
【０００７】
本考案によれば、嵌合凸部と嵌合凹部による嵌合によって、フロントに対してテンプルが開閉可能に構成されている。従って、ネジを備える丁番構造のように、ネジの緩みによるテンプルのぐらつきなどの問題はない。また、球面状部分同士が摺動するように構成されているので、テンプルの開閉をスムーズに行うことができる。更に、テンプルの開閉中心軸線に垂直な一対の平面状部分同士が摺動するように構成されているので、開閉中心軸線を中心として、テンプルを安定的に開閉させることができる。
【０００８】
前記嵌合凸部の表面は、前記一方の部材側に繋がる部分と前記一対の平面状部分とを除く部分が球面であるとよい。
【０００９】
前記嵌合凸部について、前記球面状部分における球面の中心を通り、かつ前記開閉中心軸線に垂直な面で切断した断面で見た場合に、前記嵌合凹部に対して接していない部分の最大領域が１８０°の範囲よりも少なくなるように、前記嵌合凸部は前記嵌合凹部に嵌合
されるとよい。
【００１０】
これにより、嵌合凸部が嵌合凹部から抜け出てしまうことを抑制できる。
【００１１】
前記一方の部材には、該一方の部材と前記嵌合凸部とを繋ぐ繋ぎ部が設けられると共に、
前記他方の部材には、前記一方の部材側の端部の位置から前記嵌合凹部に至る位置に、前記テンプルが開かれた際に前記繋ぎ部が進入すると共に、その底面に該繋ぎ部が当接することで前記テンプルの開き方向への位置決めを行う溝が設けられているとよい。
【００１２】
これにより、テンプルの開閉範囲を定めることができる。
【００１３】
なお、上記各構成は、可能な限り組み合わせて採用し得る。
【考案の効果】
【００１４】
以上説明したように、本考案によれば、ネジを締め直すなどの手間を必要とすることなく、テンプルの開閉を安定させることができる。
【図面の簡単な説明】
【００１５】
【図１】図１は本考案の実施例に係る丁番構造が適用された眼鏡の平面図である。
【図２】図２は本考案の実施例に係る丁番構造が適用された眼鏡の側面図である。
【図３】図３は本考案の実施例に係る丁番構造のうちの一方側の構造を示す側面図である。
【図４】図４は本考案の実施例に係る丁番構造のうちの一方側の構造を示す平面図である。
【図５】図５は本考案の実施例に係る丁番構造のうちの他方側の構造を示す側面図である。
【図６】図６は本考案の実施例に係る丁番構造のうちの他方側の構造を示す平面図である。
【図７】図７は本考案の実施例に係る丁番構造のうちの他方側の構造を示す説明図である。
【図８】図８は本考案の実施例に係る丁番構造の平面図である。
【図９】図９は本考案の実施例に係る丁番構造におけるテンプルの開閉中の様子を示す平面図である。
【図１０】図１０は本考案の実施例に係る丁番構造の側面図である。
【考案を実施するための形態】
【００１６】
以下に図面を参照して、この考案を実施するための形態を、実施例に基づいて例示的に詳しく説明する。ただし、この実施例に記載されている構成部品の寸法、材質、形状、その相対配置などは、特に特定的な記載がない限りは、この考案の範囲をそれらのみに限定する趣旨のものではない。
【００１７】
（実施例）
図１〜図１０を参照して、本考案の実施例に係る眼鏡の丁番構造について説明する。
【００１８】
＜眼鏡＞
図１及び図２を参照して、本考案の実施例に係る丁番構造が適用された眼鏡について説明する。図１は本考案の実施例に係る丁番構造が適用された眼鏡の平面図であり、図２は本考案の実施例に係る丁番構造が適用された眼鏡の側面図である。
【００１９】
眼鏡１００は、レンズ４００を支持するフロント２００と、テンプル３００とを備えており、フロント２００とテンプル３００を繋ぐ部位には、フロント２００に対してテンプル３００を開閉可能とするために丁番構造が備えられている。フロント２００及びテンプル３００の材料としては、エンジニアリングプラスチックなどの各種樹脂材を適宜採用することができる。
【００２０】
＜丁番構造＞
特に、図３〜図１０を参照して、本考案の実施例に係る眼鏡の丁番構造について、詳細に説明する。図３は本考案の実施例に係る丁番構造のうちの一方側の構造を示す側面図であり、当該構造部位を図１において矢印Ｖ方向に見た図に相当する。図４は本考案の実施例に係る丁番構造のうちの一方側の構造を示す平面図である。図５は本考案の実施例に係る丁番構造のうちの他方側の構造を示す側面図であり、当該構造を図１において矢印Ｖ方向に見た図に相当する。図６は本考案の実施例に係る丁番構造のうちの他方側の構造を示す平面図であり、内部構造を分かり易くするために点線にて内部の構造を描いている。図７は本考案の実施例に係る丁番構造のうちの他方側の構造を説明する説明図である。図８は本考案の実施例に係る丁番構造の平面図であり、図９は本考案の実施例に係る丁番構造におけるテンプルの開閉中の様子を示す平面図である。図１０は本考案の実施例に係る丁番構造の側面図であり、当該構造を図１において矢印Ｖ方向に見た図に相当する。
【００２１】
以下の説明において、丁番構造のうちフロント２００側に設けられる部位を第１丁番パーツ２１０と称し、テンプル３００側に設けられる部位を第２丁番パーツ３１０と称する。
【００２２】
第１丁番パーツ２１０は、嵌合凸部２１２と、フロント２００と嵌合凸部２１２とを繋ぐ繋ぎ部２１１とから構成されている。繋ぎ部２１１は、フロント２００に固定されている。例えば、フロント２００と第１丁番パーツ２１０を別々に射出成形によって成形し、第１丁番パーツ２１０における繋ぎ部２１１をフロント２００に対して接着剤によって接着することで、第１丁番パーツ２１０を備えるフロント２００を製作することができる。
【００２３】
第２丁番パーツ３１０は、テンプル３００に形成される嵌合凹部３１１と、嵌合凹部３１１に繋がるように設けられる溝３１２と、嵌合凹部３１１に連通する開口孔３１３とから構成されている。例えば、テンプル３００として構成される部分と第２丁番パーツ３１０として構成される部分とを、射出成形によって一体成形することで、第２丁番パーツ３１０を備えるテンプル３００を製作することができる。
【００２４】
本実施例に係る丁番構造においては、第１丁番パーツ２１０における嵌合凸部２１２を、第２丁番パーツ３１０における嵌合凹部３１１に嵌合させることによって、フロント２００とテンプル３００が連結する。また、嵌合凸部２１２と嵌合凹部３１１が摺動自在に構成されることによって、フロント２００に対してテンプル３００を開閉させることが可能となっている。
【００２５】
嵌合凸部２１２における嵌合凹部３１１との摺動面は、球面状部分２１２ａと、テンプル３００の開閉中心軸線Ｌ（図３及び図４参照）に垂直な一対の平面状部分２１２ｂとで構成されている。なお、嵌合凸部２１２の表面は、繋ぎ部２１１に繋がる部分と一対の平面状部分２１２ｂとを除く部分が球面で構成されている。そして、嵌合凹部３１１における嵌合凸部２１２との摺動面は、嵌合凸部２１２における球面状部分２１２ａが摺動する球面状部分３１１ａと、嵌合凸部２１２における一対の平面状部分２１２ｂが摺動する一対の平面状部分３１１ｂとで構成されている。また、テンプル３００に設けられた溝３１２は、フロント２００側の端部の位置から嵌合凹部３１１に至る位置まで設けられている。テンプル３００を閉じた状態から開いていくと、フロント２００に設けられた繋ぎ部２
１１が、溝３１２に進入していく。そして、この繋ぎ部２１１が溝３１２の底面に当接することで、テンプル３００の開き方向への位置決めがなされる。なお、図１，２及び８はテンプル３００が最も開いた状態を示している。
【００２６】
ここで、嵌合凸部２１２について、球面状部分２１２ａにおける球面（球）の中心を通り、かつ開閉中心軸線Ｌに垂直な面で切断した断面で見た場合に、嵌合凹部３１１に対して接していない部分の最大領域が１８０°の範囲よりも少なくなるように、嵌合凸部２１２は嵌合凹部３１１に嵌合されるように構成されている。図７において、角度β＜角度α＜１８０°となるように構成されている。
【００２７】
＜本実施例に係る丁番構造の優れた点＞
本実施例に係る丁番構造によれば、嵌合凸部２１２と嵌合凹部３１１による嵌合によって、フロント２００に対してテンプル３００が開閉可能に構成されている。従って、ネジを備える丁番構造のように、ネジの緩みによるテンプルのぐらつきなどの問題はない。また、嵌合凸部２１２における球面状部分２１２ａと嵌合凹部３１１における球面状部分３１１ａとが摺動するように構成されているので、テンプル３００の開閉をスムーズに行うことができる。更に、テンプル３００の開閉中心軸線Ｌに垂直な一対の平面状部分同士（嵌合凸部２１２における一対の平面状部分２１２ｂと嵌合凹部３１１における一対の平面状部分３１１ｂ）が摺動するように構成されているので、開閉中心軸線Ｌを中心として、テンプル３００を安定的に開閉させることができる。
【００２８】
また、上記の通り、図７に示す角度αと角度βが、角度β＜角度α＜１８０°を満たすように構成されているので、嵌合凸部２１２が嵌合凹部３１１から抜け出てしまうことを抑制できる。
【００２９】
更に、テンプル３００を開いた際に、テンプル３００に設けられた溝３１２の溝底に、フロント２００に設けられている繋ぎ部２１１を当接させるようにすることで、テンプル３００の開き方向への位置決めを行うことができ、テンプル３００の開閉範囲を定めることができる。
【００３０】
（その他）
上記実施例においては、フロント２００側に嵌合凸部２１２と繋ぎ部２１１とから構成される第１丁番パーツ２１０を設け、テンプル３００側に嵌合凹部３１１等から構成される第２丁番パーツ３１０を設ける場合を示した。しかしながら、フロント２００側に嵌合凹部３１１等から構成される第２丁番パーツ３１０を設け、テンプル３００側に嵌合凸部２１２と繋ぎ部２１１とから構成される第１丁番パーツ２１０を設ける構成を採用することもできる。
【符号の説明】
【００３１】
１００  眼鏡
２００  フロント
２１０  第１丁番パーツ
２１１  繋ぎ部
２１２  嵌合凸部
２１２ａ  球面状部分
２１２ｂ  平面状部分
３００  テンプル
３１０  第２丁番パーツ
３１１  嵌合凹部
３１１ａ  球面状部分
３１１ｂ  平面状部分
３１２  溝
３１３  開口孔
４００  レンズ
Ｌ  開閉中心軸線
【図１】
0003176324.tif 000003
【図２】
0003176324.tif 000004
【図３】
0003176324.tif 000005
【図４】
0003176324.tif 000006
【図５】
0003176324.tif 000007
【図６】
0003176324.tif 000008
【図７】
0003176324.tif 000009
【図８】
0003176324.tif 000010
【図９】
0003176324.tif 000011
【図１０】
0003176324.tif 000012